(57)【要約】【課題】点検作業時に水漏れの状況が把握でき、的確に処置がおこなえるようにする。【解決手段】洗浄槽２３外に漏れた水を検知する水検知手段３６を設け、前記水検知手段は、水に濡れると変色して不可逆的に表示するようにしたものであり、点検作業時に水漏れがなくても、過去に生じた水漏れを知ることができ、的確に処置することができる。【選択図】図１
2010136855.tif 000002
【特許請求の範囲】
【請求項１】
食器等の被洗浄物を収容する洗浄槽と、前記洗浄槽を内蔵した本体と、前記本体の底部に設けた水受部と、前記洗浄槽へ給水する給水路と、前記洗浄槽から排水する排水路と、前記洗浄槽に対する給排水を制御する制御手段と、前記洗浄槽外に漏れた水を検知する水検知手段とを備え、前記水検知手段は、水との接触を不可逆的に表示するようにした食器洗い機。
【請求項２】
水検知手段は、水と反応して変色するようにした請求項１記載の食器洗い機。
【請求項３】
水検知手段は、水受部の水を検知するようにした請求項１または２記載の食器洗い機。
【請求項４】
水検知手段は、給水路または排水路から漏れた水を検知するようにした請求項１〜３のいずれか１項に記載の食器洗い機。
【請求項５】
水検知手段は、本体外に取り出し可能に設けた請求項１〜４のいずれか１項に記載の食器洗い機。
【発明の詳細な説明】
【技術分野】
【０００１】
本発明は、食器等の洗浄をおこなう食器洗い機に関するものである。
【背景技術】
【０００２】
従来、この種の食器洗い機は、図４に示すようなものが考えられていた（例えば、特許文献１参照）。上記特許文献１に記載された食器洗い機は、本体１内に洗浄槽２を設け、モータ３により駆動されるポンプ４によって洗浄槽２内の洗浄水を加圧し、洗浄ノズル５より洗浄水を噴射して食器かご６に載置した食器７を洗浄するものである。洗浄水は配管８に接続された給水手段９により洗浄槽２内に供給される。洗浄槽２の下方には凹状の底板１０が設けてあり、洗浄槽２外に漏れて底板１０に溜まった水を水検知手段１１により検知できるようにしたものである。
【特許文献１】特開平４−１５０２８号公報
【発明の開示】
【発明が解決しようとする課題】
【０００３】
しかしながら、上記従来の構成では、漏れた水が少量の場合は検知することが難しく、また、漏れた水が水検知手段まで到達しないと検知することができないという問題があった。また、水漏れが止まって溜まっていた水が蒸発した場合は検知することができなくなり、長期間の使用後に点検作業をおこなったときに、水が漏れた状態でないと確認することができないものである。つまり、過去に水漏れが生じていたことを知ることができず、適切な処置ができないという課題があった。
【０００４】
本発明は、上記従来の課題を解決するもので、点検作業時に水漏れの状況を把握できるようにして、的確に処置がおこなえるようにすることを目的としている。
【課題を解決するための手段】
【０００５】
前記従来の課題を解決するために、本発明の食器洗い機は、洗浄槽外に漏れた水を検知する水検知手段を備え、前記水検知手段は、水との接触を不可逆的に表示するようにしたものである。
【０００６】
これにより、洗浄槽外に漏れた水に接触した部分を不可逆的に表示するので、水漏れが止まった場合でも表示がなくなることがなく、点検作業時に水漏れがなくても過去に水漏れが生じていたことを知ることができ、的確に処置することができる。
【発明の効果】
【０００７】
本発明の食器洗い機は、点検作業時に水漏れがなくても、過去に生じた水漏れを知ることができ、的確に処置することができる。
【発明を実施するための最良の形態】
【０００８】
第１の発明は、食器等の被洗浄物を収容する洗浄槽と、前記洗浄槽を内蔵した本体と、前記本体の底部に設けた水受部と、前記洗浄槽へ給水する給水路と、前記洗浄槽から排水する排水路と、前記洗浄槽に対する給排水を制御する制御手段と、前記洗浄槽外に漏れた水を検知する水検知手段とを備え、前記水検知手段は、水との接触を不可逆的に表示するようにしたことにより、洗浄槽外に水が漏れたことを検知すると不可逆的に表示するので、水漏れが止まった場合でも表示がなくなることがなく、点検作業時に水漏れがなくても、過去に水漏れが生じていたことを知ることができ、的確に処置することができる。
【０００９】
第２の発明は、特に、第１の発明の水検知手段は、水と反応して変色するようにしたことにより、水漏れで一度変色すると、その状態が維持されるので表示がなくなることがなく、過去に水漏れが生じたことを容易に知ることができる。
【００１０】
第３の発明は、特に、第１または第２の水検知手段は、水受部の水を検知するようにしたことにより、洗浄槽外に漏れた水が集まる水受部で検知することができ、水漏れを効率よく検知することができる。
【００１１】
第４の発明は、特に、第１〜第３のいずれか１つ発明の水検知手段は、給水路または排水路から漏れた水を検知するようにしたことにより、洗浄槽とこの洗浄槽に接続された配管との水漏れ個所の判別が容易にでき、点検時の処置を迅速にすることができる。
【００１２】
第５の発明は、特に、第１〜第４のいずれか１つ発明の水検知手段は、本体外に取り出し可能に設けたことにより、水漏れの判別が容易にできるとともに、点検後は新しいものと交換することができる。
【００１３】
以下、本発明の実施の形態について、図面を参照しながら説明する。なお、従来例と同じ構成のものは同一符号を付して説明を省略する。また、本実施の形態によって本発明が限定されるものではない。
【００１４】
（実施の形態１）
図１は、本発明の実施の形態１における食器洗い機の断面図、図２は同食器洗い機の要部断面図である。図１に示す設置状態は、上面にカウンタートップ２１を設けたキッチンキャビネットにビルトインした例を示すものである。食器洗い機の本体２２は、前方を開口して箱状体に形成し、この本体２２内に、上方を開口した洗浄槽２３をスライドレール（図示せず）により本体２２の前方開口部から前後方向に出入自在に収容し、本体２２から引出し可能に構成している。
【００１５】
食器等の被洗浄物Ａを収容する洗浄槽２３は、樹脂成形によって形成しており、前面にドアパネル２４を取り付けている。洗浄槽２３の底部にヒータ２５を配設し、貯水部２６に貯めた洗浄水を加熱する。２７は貯水部２６の洗浄水を加圧する洗浄ポンプで、この洗浄ポンプ２７で加圧された洗浄水は、洗浄ノズル２８から洗浄槽２３内に噴射される。洗浄ノズル２８の上方には被洗浄物Ａを収容する食器かご２９を着脱可能に配置している。
【００１６】
洗浄槽２３の上方を開口した開口部３０は、上下動自在な蓋体３１で開閉され、閉塞時は下降位置にあってパッキン３２により水密にシールされる。洗浄槽２３が本体２２から引出されるときは、蓋体３１が本体２２内で上昇位置へ移動する。洗浄槽２３の後面には、洗浄槽２３内に洗浄水を供給する給水路３３と、洗浄槽２３から洗浄水を排水する排水路３４が設けてあり、洗浄ポンプ２７の正逆回転動作で洗浄水の噴射と排水が切り替えられる。
【００１７】
本体２２の底部には水受部３５が設けてあり、洗浄槽２３への給水または洗浄槽２３からの排水が洗浄槽２３外へ漏出した水が集められる。洗浄槽２３外に漏れた水は、水受部３５に設けた水検知手段３６で検知する。
【００１８】
水検知手段３６は、紙または布等の吸水性のよい薄いシート状に形成され、水受部３５の広い範囲に置かれ、水と反応して不可逆的に変色する化学物質を有している。水受部３５に流れてきた水、または滴下した水に接触すると濡れた部分が変色し、戻ることなく水の検知を不可逆的に表示する。化学物質は、水と反応することによって水分子配置状態が変化し、この変化にともなって色調が変化するコバルト等の遷移金属、または、無水硫酸
銅等を主剤として含む物質が用いられる。
【００１９】
水検知手段３６は、洗浄槽２３から漏れた蒸気と接触した場合でも変色する。これにより、シール部を構成するパッキン３２の劣化を検知することができる。水検知手段３６は、本体２２外に取り出し可能に設けてあり、点検時に機外に取り出して水漏れによる変色の有無を容易に確認することができ、水漏れがあった場合は、点検後に新しいものと交換することでその後の水漏れを確実に検知することができる。
【００２０】
制御手段３７は、洗浄槽２３に対する給排水、洗浄ポンプ２７、ヒータ２５等を制御し、洗い、すすぎ、乾燥の各工程を逐次制御する。
【００２１】
以上のように構成した食器洗い機について、次に、その動作、作用を説明する。まず、洗浄する食器をセットして動作を開始すると、制御手段３７が給水弁３８を開き、給水路３３を通して洗浄槽２３内に水または湯が供給される。洗浄槽２３内に供給された洗浄水は水位検知手段３９によって所定の水位を検知し、給水動作が停止する。
【００２２】
洗浄ポンプ２７により貯水部２６の洗浄水を加圧し、ヒータ２５で所定の温度に加熱された洗浄水は、洗浄ノズル２８から洗浄槽２３内に噴射され、食器の汚れを洗う洗い工程が実行される。所定時間の洗浄動作の後、汚れた洗浄水は、排水路３４から機外へと排出される。
【００２３】
続いて、すすぎ工程がおこなわれ、複数回のすすぎ水の給水と排水動作をおこない、すすぎ工程の最後に洗浄水を加熱してすすぐ、加熱すすぎ工程をおこなう。これにより、被洗浄物Ａが加熱され、その後の乾燥工程で食器の乾燥を効率よくおこなうことができる。
【００２４】
洗い工程および加熱すすぎ工程では、洗浄水が加熱されるので洗浄槽２３内に蒸気が充満する。洗浄槽２３は洗浄ノズル２８から噴射される洗浄水や、洗浄槽２３内に充満する蒸気が洗浄槽２３から漏れないように、上部の開口部３０を蓋体３１で開閉する際に水密構造となるようにパッキン３２等でシールされている。長期間の使用でパッキン３２の劣化が進行すると洗浄水や蒸気がシール部分から漏れる可能性がある。
【００２５】
また、洗浄槽２３への給水経路および排水経路においても、同様に部材の劣化が進行すると給水路３３や排水路３４およびその接続部等から水漏れが生じる可能性がある。このような各所から万一洗浄槽２３の外に漏れた水は、洗浄槽２３の下方の広い範囲に設けられた水受部３５に集められ、水検知手段３６で検知する。
【００２６】
水検知手段３６は、水受部３５に流れてきた水、或いは、滴下した水に接触すると濡れた部分が変色し、一度変色すると元の色に戻ることなく水の検知を不可逆的に表示する。したがって、水漏れが発生し、その後水漏れが止まって水検知手段３６を濡らした水が乾燥しても、変色は戻ることなく水漏れが発生した状態が確認でき、点検時に水漏れがなくても過去の水漏れの有無に応じて的確に処置がおこなえる。
【００２７】
水検知手段３６による水漏れの表示は、水に濡れた部分が変色するように表示するほか、水検知手段３６が濡れると、変色して「水漏れ」の文字が表示されるようにしてもよい。また、水検知手段３６は、所定の場所に保持されるようにすることが好ましい。
【００２８】
（実施の形態２）
図３は、本発明の実施の形態２における食器洗い機の縦断面図である。本実施の形態の特徴は、水検知手段３６によって給水路３３または排水路３４から漏れた水を検知するようにしたものである。他の構成については、実施の形態１と同様であり、同一の構成要素
については同一の符号を付して、その詳細な説明は実施の形態１のものを援用する。
【００２９】
実施の形態１と異なるところは、水検知手段３６ａ、３６ｂを給水路３３または排水路３４またはその両方に設けたところであり、漏れた水が水受部３５へ到達する前に、水漏れが発生した場所、またはその近くで水漏れを検知することができる。したがって、洗浄槽２３に接続された配管の水漏れ個所の判別が容易にでき、点検時の処置を迅速にすることができる。
【産業上の利用可能性】
【００３０】
以上のように、本発明にかかる食器洗い機は、点検作業時に水漏れがなくても、過去に生じた水漏れを知ることができ、的確に処置することができるので、食器洗い機等の水使用機器として有用である。
【図面の簡単な説明】
【００３１】
【図１】本発明の実施の形態１の食器洗い機の要部断面図
【図２】同食器洗い機の要部断面図
【図３】本発明の実施の形態２の食器洗い機の要部断面図
【図４】従来の食器洗い機の要部断面図
【符号の説明】
【００３２】
２２  本体
２３  洗浄槽
３３  給水路
３４  排水路
３５  水受部
３６  水検知手段
３７  制御手段
【図１】
2010136855.tif 000003
【図２】
2010136855.tif 000004
【図３】
2010136855.tif 000005
【図４】
2010136855.tif 000006